【手続補正書】
【提出日】平成24年10月1日(2012.10.1)
【手続補正１】
【補正対象書類名】特許請求の範囲
【補正対象項目名】全文
【補正方法】変更
【補正の内容】
【特許請求の範囲】
【請求項１】
複数の燃料電池デバイスであって、各々が、
第一の端部から第二の端部までのｘ方向の長さと、第一の側部から第二の側部までのｙ方向の幅と、頂面から底面までのｚ方向の厚さとを有するセラミック支持構造体であって、前記長さが前記幅又は前記厚さよりも大きいことによって前記セラミック支持構造体の前記ｘ方向が熱膨張の主方向である、セラミック支持構造体と、
前記第一の端部から間隔を空けて前記長さの第一の部分に沿って配置された反応ゾーンであって、前記セラミック支持構造体内において第一の電極を対向する第二の電極から離隔する電解質と、前記第一の電極に隣接する第一のアクティブガス通路と、前記第二の電極に隣接する第二のアクティブガス通路とを備えた少なくとも一つアクティブ層を有する反応ゾーンであって、前記第一のアクティブガス通路及び前記第二のアクティブガス通路の各々が、前記ｚ方向の厚さを有し、前記第一のアクティブガス通路が、前記ｙ方向に延伸して前記ｘ方向に間隔の空けられた複数の第一のサブ通路を備える、反応ゾーンと、
前記ｘ方向において前記第一の端部から前記反応ゾーン内に延伸していて、前記ｚ方向の厚さを有し、前記複数の第一のサブ通路の各々に流体的に結合されている第一の幹線フロー通路であって、前記複数の第一のサブ通路が、前記ｙ方向において前記第一の幹線フロー通路から前記第一の側部及び前記第二の側部のうち少なくとも一方に向けて延伸していて、前記第一の幹線フロー通路の厚さが、前記第一のアクティブガス通路の前記複数の第一のサブ通路の各々の厚さよりも大きい、第一の幹線フロー通路と、を備えた、複数の燃料電池デバイスと、
前記複数の燃料電池デバイス及び熱源を有する高温ゾーンチャンバであって、前記複数の燃料電池デバイスが前記高温ゾーンチャンバ内に完全に配置されていて、前記熱源が、前記高温ゾーンチャンバに結合されていて且つ前記複数の燃料電池デバイスを動作温度に加熱するために前記高温ゾーンチャンバ内の温度を上昇させるように構成されている、高温ゾーンチャンバと、
前記高温ゾーンチャンバの外側に配置されたガス供給システムと、
前記高温ゾーンチャンバ内の前記複数の燃料電池デバイスの前記第一の端部に結合されていて且つ前記高温ゾーンチャンバの外側の前記燃料供給システムに結合されていて、ガスを前記高温ゾーンチャンバ内において前記第一の幹線フロー通路に供給する一つ以上の導管と、を備えた燃料電池システム。
【請求項２】
前記第一の幹線フロー通路が、前記第一の側部に隣接して前記長さに沿って延伸していて、前記複数の第一のサブ通路が、前記ｙ方向において前記第一の幹線フロー通路から前記第二の側部に向けて延伸している、請求項１に記載の燃料電池システム。
【請求項３】
前記ｘ方向において前記第一の端部から前記第二の側部に隣接して前記長さに沿って前記反応ゾーン内に延伸していて、前記ｚ方向の厚さを有する第二の幹線フロー通路を更に備え、
前記第二の幹線フロー通路が、複数の第二のサブ通路を備える前記第二のアクティブガス通路に流体的に結合されていて、前記複数の第二のサブ通路が前記ｘ方向において間隔が空けられていて前記ｙ方向において前記第一の側部に向けて延伸していて、前記第二の幹線フロー通路の厚さが、前記第二のアクティブガス通路の前記複数の第二のサブ通路の各々の厚さよりも大きい、請求項２に記載の燃料電池システム。
【請求項４】
前記複数の第一のサブ通路の各々の面積及び／又は体積が、前記第一の幹線フロー通路と前記第二の側部との間で減少し、前記複数の第二のサブ通路の各々の面積及び／又は体積が、前記第二の幹線フロー通路と前記第一の側部との間で減少し、前記複数の第一のサブ通路及び前記複数の第二のサブ通路の各々の面積及び／又は体積の減少が、連続的な減少又はステップ状の減少である、請求項３に記載の燃料電池システム。
【請求項５】
前記第一の端部が、前記第一の側部と前記第二の側部との間において前記ｘ方向に延伸していることによって前記第一の端部を第一の側端部及び第二の側端部に分割している溝を含み、前記第一の幹線フロー通路が、前記第一の側端部から前記第一の側部に隣接して前記長さに沿って前記反応ゾーン内に延伸していて、前記第二の幹線フロー通路が前記第二の側端部から前記第二の側部に隣接して前記長さに沿って前記反応ゾーン内に延伸している、請求項３に記載の燃料電池システム。
【請求項６】
前記第二の端部が、前記第一の側部と前記第二の側部との間において前記ｘ方向に延伸していることによって前記第二の端部を第一の側端部及び第二の側端部に分割している溝を含み、前記複数の第一のサブ通路が、前記第二の側部に隣接して前記長さに沿って前記反応ゾーンから前記第二の端部の第二の側端部に延伸している第一の幹線排気通路に流体的に結合されていて、前記複数の第二のサブ通路が、前記第一の側部に隣接して前記長さに沿って前記反応ゾーンから前記第二の端部の第一の側端部に延伸している第二の幹線排気通路に流体的に結合されている、請求項５に記載の燃料電池システム。
【請求項７】
前記長さの第一の部分に沿って配置された前記反応ゾーンが前記第二の端部から間隔を空けられていて、前記第二のアクティブガス通路が、前記ｙ方向に延伸していて前記ｘ方向に間隔が空けられている複数の第二のサブ通路を備え、前記燃料電池デバイスが、前記ｘ方向において前記第二の端部から前記反応ゾーン内に延伸していて前記ｚ方向の厚さを有する第二の幹線フロー通路を更に備え、前記第二の幹線フロー通路が前記複数の第二のサブ通路の各々に流体的に結合されていて、前記複数の第二のサブ通路が、前記ｙ方向において前記第二の幹線フロー通路から前記第一の側部及び前記第二の側部のうち少なくとも一方に向けて延伸していて、前記第二の幹線フロー通路の厚さが、前記第二のアクティブガス通路の複数の第二のサブ通路の各々の厚さよりも大きい、請求項１に記載の燃料電池システム。
【請求項８】
前記少なくとも一つのアクティブ層が複数のアクティブ層を備え、前記第一の幹線フロー通路が前記第一のアクティブガス通路の各々に結合されていて、前記第二の幹線フロー通路が前記第二のアクティブガス通路の各々に結合されている、請求項３から７のいずれか一項に記載の燃料電池システム。
【請求項９】
前記ｚ方向において前記複数の第一のサブ通路の各々から前記頂面及び前記底面のうち一方に向けて前記第二の側部上において前記第二の幹線フロー通路に隣接するが交差せずに延伸している複数の第一の垂直フローチャネルと、前記ｚ方向において前記複数の第二のサブ通路の各々から前記頂面及び前記底面のうち一方に向けて前記第一の側部上において前記第一の幹線フロー通路に隣接するが交差せずに延伸している複数の第二の垂直フローチャネルと、を更に備えた請求項８に記載の燃料電池システム。
【請求項１０】
前記頂面及び前記底面のうち一方の上に又は隣接して前記複数の第一の垂直フローチャネルの各々に流体的に結合されていて且つ前記ｘ方向において前記第二の端部に向けて所望の第一の出口点に延伸している第一の出口フローチャネルと、前記頂面及び前記底面のうち一方の上に又は隣接して前記複数の第二の垂直フローチャネルの各々に流体的に結合されていて且つ前記ｘ方向において前記第一の端部に向けて所望の第二の出口点に延伸している第二の出口フローチャネルと、を更に備えた請求項９に記載の燃料電池システム。
【請求項１１】
前記第一の端部及び前記第二の端部がそれぞれ、前記第一の側部と前記第二の側部との間において前記ｘ方向に延伸していることによって前記第一の端部及び前記第二の端部の各々を第一の側端部及び第二の側端部に分割している溝を含み、前記第一の幹線フロー通路が、前記第一の端部の第一の側端部から前記第一の側部に隣接して前記長さに沿って前記反応ゾーン内に延伸していて、前記第二の幹線フロー通路が、前記第二の端部の第二の側端部から前記第二の側部に隣接して前記長さに沿って前記反応ゾーン内に延伸している、請求項７に記載の燃料電池システム。
【請求項１２】
前記複数の第一のサブ通路が、前記第二の側部に隣接して前記長さに沿って前記反応ゾーンから前記第二の端部の第二の側端部に延伸している第一の幹線排気通路に流体的に結合されていて、前記複数の第二のサブ通路が、前記第一の側部に隣接して前記長さに沿って前記反応ゾーンから前記第一の端部の第一の側端部に延伸している第二の幹線排気通路に流体的に結合されている、請求項１１に記載の燃料電池システム。
【請求項１３】
前記複数の第一のサブ通路及び前記複数の第二のサブ通路の各々の面積及び／又は体積が、それぞれ前記第一の幹線フロー通路及び前記第二の幹線フロー通路と前記第一の側部及び前記第二の側部のうち少なくとも一方との間で減少していて、前記複数の第一のサブ通路及び前記複数の第二のサブ通路の各々の面積及び／又は体積の減少が連続的な減少又はステップ状の減少である、請求項７に記載の燃料電池システム。